(57)【要約】【課題】光ディスクに記録された複数のデータによる同時再生のみならず、光ディスクに記録されたデータと外部からのデータとの同時再生を可能とすることで、サブビデオの汎用性向上が図れる光ディスクプレーヤを提供する。【解決手段】メイン画面１１１用のメイン映像デコード部１０２１とサブ画面１１２用のサブ映像デコード部１０２２と映像混合部１０２３を備える光ディスクプレーヤ１０１において、サブ映像デコード部１０２２に外部からデータを入力して復号を行うようにし、メイン映像デコード部１０２１、サブ映像デコード部１０２２で処理された映像データを映像混合部１０２３にて１つのデータに併せ込み、メイン画面１１１にサブ画面１１２がはめ込まれた形で１つの映像データとしてモニタ１１０に表示する。【選択図】図１
2008078731.tif 000002
【特許請求の範囲】
【請求項１】
光ディスクに記録された複数の動画データを同時に再生することができる光ディスクプレーヤにおいて、
複数の動画データが記録された光ディスクのメインの動画データを復号するメイン映像デコード部とサブの動画データを復号するサブ映像デコード部を備えると共に、復号して得られたメインとサブの映像を混合して１つのストリームに併せ込む映像混合部を備えるＡＶデコーダ手段と、
前記光ディスク以外に外部より入力される外部データを取り込み、取り込んだ外部データを前記ＡＶデコーダ手段のサブ映像デコード部に入力する外部データ取得手段と、
前記ＡＶデコーダ手段及び外部データ取得手段をそれぞれ制御するシステム制御手段と、
を備える光ディスクプレーヤ。
【請求項２】
前記外部データが、音声付動画データ、動画データ、音声データ、静止画データ又はカーナビゲーション用データである請求項１に記載の光ディスクプレーヤ。
【請求項３】
前記外部データ取得手段は、前記外部データをＡＴＡＰＩ、ＵＳＢ又はＬＡＮを含む各種インタフェース経由で取り込む請求項１又は請求項２に記載の光ディスクプレーヤ。
【請求項４】
前記システム制御手段は、自己の光ディスクプレーヤに接続された機器が何であるか識別し、識別した接続機器からの外部データの入力が可能か否かを判定し、前記外部データの入力が可能と判断すると、前記外部データ取得手段に対して前記ＡＶデコーダ手段のサブ映像デコード部に前記外部データを入力させる請求項１乃至請求項３のいずれかに記載の光ディスクプレーヤ。
【請求項５】
前記システム制御手段は、前記接続機器からの外部データの入力が不可能と判断した場合、前記接続機器から入力された外部データを前記サブ映像デコード部で扱えるように加工する請求項４に記載の光ディスクプレーヤ。
【請求項６】
前記システム制御手段は、再生しようとしている外部データが何であるか判別し、判別した前記外部データを処理するための処理能力を十分に有しているか否かを判定し、十分な処理能力を有していれば、前記外部データ取得手段に対して前記ＡＶデコーダ手段のサブ映像デコード部に前記外部データを入力させる請求項１乃至請求項５のいずれかに記載の光ディスクプレーヤ。
【請求項７】
前記システム制御手段は、前記外部データを処理するための処理能力が不十分と判断した場合、前記外部データを前記サブ映像デコード部で扱えるように加工する請求項６に記載の光ディスクプレーヤ。
【請求項８】
前記システム制御手段は、サブの動画がエラーとなった場合に、該エラーを判別する請求項１乃至請求項７のいずれかに記載の光ディスクプレーヤ。
【請求項９】
前記システム制御手段は、サブの動画のエラー判別結果から、前記外部データを前記サブ映像デコード部で扱えるように加工する請求項８に記載の光ディスクプレーヤ。
【請求項１０】
前記システム制御手段は、ユーザ入力に従って再生しようとする外部データが何であるか判別する請求項１乃至請求項９のいずれかに記載の光ディスクプレーヤ。
【請求項１１】
前記システム制御手段は、外部データの判別結果から、前記外部データを前記サブ映像デコード部で扱えるように加工する請求項１０に記載の光ディスクプレーヤ。
【請求項１２】
前記システム制御手段は、自己の光ディスクプレーヤに接続された接続機器から入力された外部データをモニタ上のメイン画面で表示させるかサブ画面で表示させるかの切替えを行う請求項１乃至請求項１１のいずれかに記載の光ディスクプレーヤ。
【請求項１３】
前記システム制御手段は、メイン画面とサブ画面の切替えをユーザの指示に従って行う請求項１２に記載の光ディスクプレーヤ。
【請求項１４】
前記ＡＶデコーダ手段のサブ映像デコード部は、次世代光ディスクプレーヤ規格で想定されているサブの動画を再生させるためのデコード処理以外のコーデックにも対応する請求項１乃至請求項１３のいずれかに記載の光ディスクプレーヤ。
【請求項１５】
前記ＡＶデコーダ手段のサブ映像デコード部は、ＭＰＥＧ２規格、ＭＰＥＧ４規格、ＤｉｖＸ規格、ＸｖｉＤ規格、ＡＳＦ規格、ＮｅｒｏＤｅｇｉｔａｌ規格、ＪＰＥＧ規格、ＪＰＥＧ２０００規格、ＴＩＦＦ規格、ＱｕｉｃｋＴｉｍｅ規格、ＭＰ３規格、ＷＭＡ規格、ＡＣ３規格、ＭＰ３ＰＲＯ規格、ＰＣＭ規格又はＯｇｇＶｏｌｂｉｓ規格のいずれかに準拠するコーデックに対応する請求項１４に記載の光ディスクプレーヤ。
【請求項１６】
光ディスクに記録された複数の動画データを同時に再生することができる光ディスクプレーヤに用いられるプログラムにおいて、
複数の動画データが記録された光ディスクからメインの動画データを復号する第１の復号化ステップと、
複数の動画データが記録された光ディスクからサブの動画データを復号する第２の復号化ステップと、
前記第１、第２の復号化ステップで復号されたメインとサブの映像を混合して１つのストリームに併せ込む映像合成ステップと、
外部より入力される外部データを取り込み、取り込んだ外部データを前記第２の復号化ステップに渡す外部データ取得ステップと、
を備え、コンピュータに前記各ステップを実行させるプログラム。
【請求項１７】
請求項１６に記載のプログラムを記憶した記憶媒体。
【請求項１８】
請求項１７に記載の記憶媒体に記憶されたプログラムの内容を更新するアップデートディスク。
【請求項１９】
光ディスクに記録された複数の動画データを同時に再生することができる光ディスクプレーヤに用いられる集積回路において、
請求項１７に記載の記憶媒体を備え、前記光ディスクプレーヤのサブ映像用の復号部を用いて、外部インタフェースより入力されるデータを再生し、前記光ディスクに記録されたデータと外部からのデータの同時再生を行う集積回路。
【請求項２０】
光ディスクに記録された複数の動画データを同時に再生することができる光ディスクプレーヤの動画再生方法において、
複数の動画データが記録された光ディスクからメインの動画データを復号する第１の復号化工程と、
複数の動画データが記録された光ディスクからサブの動画データを復号する第２の復号化工程と、
前記第１、第２の復号化ステップで復号されたメインとサブの映像を混合して１つのストリームに併せ込む映像合成工程と、
外部より入力される外部データを取り込み、取り込んだ外部データを前記第２の復号化工程に渡す外部データ取得工程と、
を備える光ディスクプレーヤの動画再生方法。
【発明の詳細な説明】
【技術分野】
【０００１】
本発明は、光ディスク内にある複数の動画データを同時に再生することが可能な光ディスクプレーヤに関する。
【背景技術】
【０００２】
次世代の光ディスクプレーヤは、メインの動画（メインビデオ）の中に別の動画（サブビデオ）を同時に再生することができる規格となっており、今後新たに製造する光ディスクプレーヤには該規格を満足する機能を持たせる必要がある。該規格では、サブビデオに使用するデータは、光ディスクに記録されたものが想定されている。従来、メイン画面の中に別のサブビデオを同時に表示させる２画面再生機能を有するテレビ受信機は存在するが（例えば特許文献１参照）、ＤＶＤ（Digital Versatile Disc）等の光ディスクプレーヤには２画面再生機能を有するものはない。それでも次世代光ディスクプレーヤの規格としてサブビデオ機能が考案されていることから、このサブビデオ機能を利用して光ディスクプレーヤで２画面再生を実現することは可能であり、テレビ受信機に２画面再生機能が搭載されていなくても利用することができる。
【０００３】
【特許文献１】特開平９−５５８９８号公報
【発明の開示】
【発明が解決しようとする課題】
【０００４】
しかしながら、次世代光ディスクプレーヤにおいては、光ディスク上のメインビデオとサブビデオの複数映像を同時に再生させる規格が存在しているが、同時再生については光ディスクに記録されたデータを想定しているのみであり、光ディスクに記録されたデータと外部からのデータの同時再生はできず、サブビデオの汎用性が低いという問題がある。
【０００５】
本発明は、係る事情に鑑みてなされたものであり、光ディスクに記録された複数のデータによる同時再生のみならず、光ディスクに記録されたデータと外部からのデータとの同時再生を可能とすることで、サブビデオの汎用性向上が図れる光ディスクプレーヤを提供することを目的とする。
【課題を解決するための手段】
【０００６】
上記目的は下記構成により達成される。
（１）  光ディスクに記録された複数の動画データを同時に再生することができる光ディスクプレーヤにおいて、複数の動画データが記録された光ディスクのメインの動画データを復号するメイン映像デコード部とサブの動画データを復号するサブ映像デコード部を備えると共に、復号して得られたメインとサブの映像を混合して１つのストリームに併せ込む映像混合部を備えるＡＶデコーダ手段と、前記光ディスク以外に外部より入力される外部データを取り込み、取り込んだ外部データを前記ＡＶデコーダ手段のサブ映像デコード部に入力する外部データ取得手段と、前記ＡＶデコーダ手段及び外部データ取得手段をそれぞれ制御するシステム制御手段と、を備える。
【０００７】
（２）  上記（１）に記載の光ディスクプレーヤにおいて、前記外部データが、音声付動画データ、動画データ、音声データ、静止画データ又はカーナビゲーション用データである。
【０００８】
（３）  上記（１）又は（２）に記載の光ディスクプレーヤにおいて、前記外部データ取得手段は、前記外部データをＡＴＡＰＩ、ＵＳＢ又はＬＡＮを含む各種インタフェース経由で取り込む。
【０００９】
（４）  上記（１）乃至（３）のいずれかに記載の光ディスクプレーヤにおいて、前記システム制御手段は、自己の光ディスクプレーヤに接続された機器が何であるか識別し、識別した接続機器からの外部データの入力が可能か否かを判定し、前記外部データの入力が可能と判断すると、前記外部データ取得手段に対して前記ＡＶデコーダ手段のサブ映像デコード部に前記外部データを入力させる。
【００１０】
（５）  上記（４）に記載の光ディスクプレーヤにおいて、前記システム制御手段は、前記接続機器からの外部データの入力が不可能と判断した場合、前記接続機器から入力された外部データを前記サブ映像デコード部で扱えるように加工する。
【００１１】
（６）  上記（１）乃至（５）のいずれかに記載の光ディスクプレーヤにおいて、前記システム制御手段は、再生しようとしている外部データが何であるか判別し、判別した前記外部データを処理するための処理能力を十分に有しているか否かを判定し、十分な処理能力を有していれば、前記外部データ取得手段に対して前記ＡＶデコーダ手段のサブ映像デコード部に前記外部データを入力させる。
【００１２】
（７）  上記（６）に記載の光ディスクプレーヤにおいて、前記システム制御手段は、前記外部データを処理するための処理能力が不十分と判断した場合、前記外部データを前記サブ映像デコード部で扱えるように加工する。
【００１３】
（８）  上記（１）乃至（７）のいずれかに記載の光ディスクプレーヤにおいて、前記システム制御手段は、サブの動画がエラーとなった場合に、該エラーを判別する。
【００１４】
（９）  上記（８）に記載の光ディスクプレーヤにおいて、前記システム制御手段は、サブの動画のエラー判別結果から、前記外部データを前記サブ映像デコード部で扱えるように加工する。
【００１５】
（１０）  上記（１）乃至（９）のいずれかに記載の光ディスクプレーヤにおいて、前記システム制御手段は、ユーザ入力に従って再生しようとする外部データが何であるか判別する。
【００１６】
（１１）  上記（１０）に記載の光ディスクプレーヤにおいて、前記システム制御手段は、外部データの判別結果から、外部データを前記サブ映像デコード部で扱えるように加工する。
【００１７】
（１２）  上記（１）乃至（１１）のいずれかに記載の光ディスクプレーヤにおいて、前記システム制御手段は、自己の光ディスクプレーヤに接続された接続機器から入力された外部データをモニタ上のメイン画面で表示させるかサブ画面で表示させるかの切替えを行う。
【００１８】
（１３）  上記（１２）に記載の光ディスクプレーヤにおいて、前記システム制御手段は、メイン画面とサブ画面の切替えをユーザの指示に従って行う。
【００１９】
（１４）  上記（１）乃至（１３）のいずれかに記載の光ディスクプレーヤにおいて、前記ＡＶデコーダ手段のサブ映像デコード部は、次世代光ディスクプレーヤ規格で想定されているサブの動画を再生させるためのデコード処理以外のコーデックにも対応する。
【００２０】
（１５）  上記（１４）に記載の光ディスクプレーヤにおいて、前記ＡＶデコーダ手段のサブ映像デコード部は、ＭＰＥＧ２規格、ＭＰＥＧ４規格、ＤｉｖＸ規格、ＸｖｉＤ規格、ＡＳＦ規格、ＮｅｒｏＤｅｇｉｔａｌ規格、ＪＰＥＧ規格、ＪＰＥＧ２０００規格、ＴＩＦＦ規格、ＱｕｉｃｋＴｉｍｅ規格、ＭＰ３規格、ＷＭＡ規格、ＡＣ３規格、ＭＰ３ＰＲＯ規格、ＰＣＭ規格又はＯｇｇＶｏｌｂｉｓ規格のいずれかに準拠するコーデックに対応する。
【００２１】
（１６）  光ディスクに記録された複数の動画データを同時に再生することができる光ディスクプレーヤに用いられるプログラムにおいて、複数の動画データが記録された光ディスクからメインの動画データを復号する第１の復号化ステップと、複数の動画データが記録された光ディスクからサブの動画データを復号する第２の復号化ステップと、前記第１、第２の復号化ステップで復号されたメインとサブの映像を混合して１つのストリームに併せ込む映像合成ステップと、外部より入力される外部データを取り込み、取り込んだ外部データを前記第２の復号化ステップに渡す外部データ取得ステップと、を備え、コンピュータに前記各ステップを実行させる。
【００２２】
（１７）  記憶媒体において、上記（１６）に記載のプログラムを記憶した。
【００２３】
（１８）  プログラムの内容を更新するアップデートディスクにおいて、上記（１７）に記載の記憶媒体に記憶されたプログラムの内容を更新する。
【００２４】
（１９）  光ディスクに記録された複数の動画データを同時に再生することができる光ディスクプレーヤに用いられる集積回路において、上記（１７）に記載の記憶媒体を備え、前記光ディスクプレーヤのサブ映像用の復号部を用いて、外部インタフェースより入力されるデータを再生し、前記光ディスクに記録されたデータと外部からのデータの同時再生を行う。
【００２５】
（２０）  光ディスクに記録された複数の動画データを同時に再生することができる光ディスクプレーヤの動画再生方法において、複数の動画データが記録された光ディスクからメインの動画データを復号する第１の復号化工程と、複数の動画データが記録された光ディスクからサブの動画データを復号する第２の復号化工程と、前記第１、第２の復号化ステップで復号されたメインとサブの映像を混合して１つのストリームに併せ込む映像合成工程と、外部より入力される外部データを取り込み、取り込んだ外部データを前記第２の復号化工程に渡す外部データ取得工程と、を備える。
【発明の効果】
【００２６】
上記（１）に記載の光ディスクプレーヤでは、光ディスクプレーヤのサブ映像デコード部を用いて外部より入力されたデータを再生するので、光ディスクデータと外部データの同時再生が可能となり、サブビデオの汎用性向上が図れる。
【００２７】
上記（２）に記載の光ディスクプレーヤでは、音声付動画データ、動画データ、音声データ、静止画データ又はカーナビゲーション用データを扱うことができる。
【００２８】
上記（３）に記載の光ディスクプレーヤでは、ＡＴＡＰＩ、ＵＳＢ、ＬＡＮを含む各種インタフェースに対応できるので、外部データを容易に光ディスクプレーヤに取り込むことができる。
【００２９】
上記（４）に記載の光ディスクプレーヤでは、光ディスクプレーヤに接続された接続機器を識別し、識別した接続機器からのデータ（すなわち外部データ）の取り込みが可能であれば該外部データの取り込みを行うので、特定の接続機器からのデータの再生が可能となる。
【００３０】
上記（５）に記載の光ディスクプレーヤでは、光ディスクプレーヤに接続された接続機器からのデータの入力が不可能な場合には、該接続機器から入力されたデータをサブ映像デコード部で扱えるように加工するので、接続機器に応じた再生が可能となる。
【００３１】
上記（６）に記載の光ディスクプレーヤでは、光ディスクプレーヤの処理系等に与える負荷の高い映像の外部データが入力された場合、映像を再生させる前に負荷を判断し、負荷に応じた再生方式での再生が可能となる。
【００３２】
上記（７）に記載の光ディスクプレーヤでは、入力されたデータに対して、サブ映像デコード部の処理能力が不十分の場合、サブ映像デコード部で扱えるように入力データを加工するので、処理能力以上の外部データに対しても再生が可能となる。すなわち、光ディスクプレーヤの性能不足により処理が遅くなることで視聴者に与えるストレスを軽減させることが可能となる。
【００３３】
上記（８）に記載の光ディスクプレーヤでは、エラーに対するリカバリ対策を講ずることが可能となる。
【００３４】
上記（９）に記載の光ディスクプレーヤでは、サブの動画のエラー判別結果からエラーが低減するように入力データを加工するので、サブの動画におけるエラーの低減が図れる。
【００３５】
上記（１０）に記載の光ディスクプレーヤでは、ユーザが外部データの種類（例えばデータ形式）を指定できるので、外部データを判別する処理を省くことができ、データ再生開始までの時間の短縮化が図れる。
【００３６】
上記（１１）に記載の光ディスクプレーヤでは、外部データの種類に応じて入力データをサブ映像デコード部で扱えるように加工するので、外部データの種類に応じた再生が可能となる。
【００３７】
上記（１２）に記載の光ディスクプレーヤでは、メイン画面でも光ディスクプレーヤに接続した接続機器に記録されたデータを有効活用することが可能となる。
【００３８】
上記（１３）に記載の光ディスクプレーヤでは、メイン画面とサブ画面の切替えをユーザが任意に行うことができる。
【００３９】
上記（１４）、（１５）に記載の光ディスクプレーヤでは、次世代光ディスクプレーヤで規定されているコーデック以外のコーデックにも対応するので、様々な規格で符号化されているデータを復号できる。
【００４０】
上記（１６）に記載のプログラムでは、第２の復号化ステップにて外部データを復号するので、光ディスクデータと外部データの同時再生が可能となり、サブビデオの汎用性向上が図れる。
【００４１】
上記（１７）に記載の記憶媒体では、上記（１６）のプログラムを記憶することで、ソフトウェアでの本発明の実現が可能となる。
【００４２】
上記（１８）に記載のアップデートディスクでは、ソフトウェアのバージョンアップや書き換えが可能となる。
【００４３】
上記（１９）に記載の集積回路では、これを機器に搭載することによって、ハードウェアでの本発明の実現が可能となる。
【００４４】
上記（２０）に記載の光ディスクプレーヤの動画再生方法では、第２の復号化ステップにて外部データを復号するので、光ディスクデータと外部データの同時再生が可能となり、サブビデオの汎用性向上が図れる。
【発明を実施するための最良の形態】
【００４５】
以下、本発明を実施するための好適な実施の形態について、図面を参照して詳細に説明する。
【００４６】
図１は、本発明の一実施の形態に係る光ディスクプレーヤの概略構成を示すブロック図である。同図において、本実施の形態の光ディスクプレーヤ１０１は、映像デコーダ部１０２と、音声デコーダ部１０３と、映像や音声の外部データを取得する外部データ取得部１０４と、映像デコーダ部１０２、音声デコーダ部１０３、外部データ取得部１０４及び周辺ＬＳＩ１４０等を制御するシステム制御部１０５とを備えて構成される。
【００４７】
映像デコーダ部１０２は、モニタ１１０のメイン画面１１１用の映像を復号するためのメイン映像デコード部１０２１と、サブビデオを表示するためのサブ画面１１２用の映像を復号するためのサブ映像デコード部１０２２と、メイン映像デコード部１０２１とサブ映像デコード部１０２２で復号された映像を混合して１つのストリームに併せ込むための映像混合部１０２３とを備えて構成される。音声デコーダ部１０３は、モニタ１１０のメイン画面１１１用の映像に対応する音声を復号するためのメイン音声デコード部１０３１と、サブ画面１１２用の映像に対応する音声を復号するためのサブ音声デコード部１０３２と、メイン音声デコード部１０３１からの音声とサブ音声デコード部１０３２からの音声のスピーカ１２０への切替えを行う音声切替部１０３３とを備えて構成される。
【００４８】
外部データ取得部１０４は、ＡＴＡＰＩ（Attachment Packet Interface）、ＵＳＢ（Universal Serial Bus）、ＬＡＮ（Local Area Network）、シリアル又はパラレル等の各種形式で外部データの取り込みを行う。また、インターネットに接続できる機能を有し、インターネット経由で外部データの取り込みも可能である。外部データは、例えば動画データ、音声付動画データ、音声データ、静止画データ、カーナビゲーション用データである。
【００４９】
システム制御部１０５は、光ディスクプレーヤ１０１の各部を制御するものであり、以下のような制御を行う。
・光ディスクプレーヤ１０１に接続された接続機器１５０が何であるか識別し、識別した接続機器１５０からの外部データの入力が可能か否かを判定し、外部データの入力が可能であれば、外部データ取得部１０４に対してサブ映像デコード部１０２２に外部データを入力させる。なお、接続機器１５０に周辺ＬＳＩ１４０を含めてもよい。
・接続機器１５０からの外部データの入力が不可能と判断した場合、接続機器１５０から入力された外部データをサブ映像デコード部１０２２で扱えるように加工する。
・再生しようとしている外部データが何であるか判別し、判別した外部データを処理するための処理能力を十分に有しているか否かを判定し、十分な処理能力を有していれば、外部データ取得部１０４に対してサブ映像デコード部１０２２に外部データを入力させる。
【００５０】
・外部データを処理するための処理能力が不十分と判断した場合、外部データをサブ映像デコード部１０２２で扱えるように加工する。
・サブの動画がエラーとなった場合に、該エラーを判別し、該判別結果から、外部データをサブ映像デコード部１０２２で扱えるように加工する。
・ユーザ入力に従って再生しようとする外部データが何であるか判別し、該判別結果から、外部データをサブ映像デコード部１０２２で扱えるように加工する。
・自己の光ディスクプレーヤに接続された接続機器１５０から入力された外部データをモニタ１１０上のメイン画面１１１で表示させるかサブ画面１１２で表示させるかの切替えを行う。
・メイン画面１１１とサブ画面１１２の切替えをユーザの指示に従って行う。
【００５１】
映像デコーダ部１０２のサブ映像デコード部１０２２は、次世代光ディスクプレーヤ規格で想定されているサブの動画を再生させるためのデコード処理以外のコーデックにも対応する。すなわち、ＭＰＥＧ２規格、ＭＰＥＧ４規格、ＤｉｖＸ規格、ＸｖｉＤ規格、ＡＳＦ規格、ＮｅｒｏＤｅｇｉｔａｌ規格、ＪＰＥＧ規格、ＪＰＥＧ２０００規格、ＴＩＦＦ規格、ＱｕｉｃｋＴｉｍｅ規格、ＭＰ３規格、ＷＭＡ規格、ＡＣ３規格、ＭＰ３ＰＲＯ規格、ＰＣＭ規格又はＯｇｇＶｏｌｂｉｓ規格のいずれかに準拠するコーデックに対応する。
【００５２】
次に、上記構成の光ディスクプレーヤ１０１の動作を説明する。まず始めに、外部から映像を取り込む準備として、視聴者は例えば半導体メモリ、ハードディスク、パソコン等の映像を記録できる接続機器１５０を用意し、この接続機器１５０に光ディスクプレーヤ１０１で再生させたい何等かの映像をＤｉｖＸ、ＡＳＦ（Advanced Streaming Format）等のフォーマットで記録する。なお、ＤｉｖＸは、ＤｉｖＸＮｅｔｗｏｒｋｓ社が開発したＭＰＥＧ４ベースのビデオ圧縮・伸張コーデックである。ＡＳＦは、Ｍｉｃｒｏｓｏｆｔ社が開発し、動画や音声、テキストなど様々なデータを１つのコンテンツとして統合し、ネットワークを通じてストリーミング（データを受信しながらコンテンツを再生すること）配信するためのファイルフォーマットである。
【００５３】
視聴者が接続機器１５０に記録された映像をサブビデオとして閲覧するとき、該接続機器１５０を光ディスクプレーヤ１０１に有線あるいは無線で接続する。光ディスクプレーヤ１０１に接続機器１５０が接続されると、システム制御部１０５が光ディスクプレーヤ１０１に接続された接続機器１５０が何であるかを判別する。そして、光ディスクプレーヤ１０１に接続された接続機器１５０が有効であると判断すると、該接続機器１５０からの外部データＤＥＸが外部データ取得部１０４を経由して光ディスクプレーヤ１０１内の映像デコーダ部１０２に送られる。また、接続機器１５０に記録された映像データが光ディスクプレーヤ１０１で再生可能か否か等を判定する。
【００５４】
外部データＤＥＸが有効である場合は、サブ画面１１２用として光ディスク１３０に記録されているサブビデオ用の映像の他、外部データＤＥＸもサブビデオ用の映像として選択可能となる。また、外部データの入力が無効な場合はサブ画面１１２用の映像として、光ディスク１３０に記録されたサブビデオ用の映像のみ選択される。システム制御部１０５は、外部データＤＥＸを受信すると、フォーマットやデータサイズ、ビットレート等を判別することにより、外部データＤＥＸがどのようなものであるか判断し、映像デコーダ部１０２の処理能力が外部データＤＥＸの処理を行うのに十分か否か判断する。外部データＤＥＸを処理するための能力が十分でない場合は映像デコーダ部１０２の処理能力にあわせて外部データＤＥＸを加工し、映像デコーダ部１０２の負荷を軽減する。外部データＤＥＸの加工例としては、例えば元の外部データＤＥＸが音声付動画だった場合、音声のみのデータへの加工、動画のみのデータへの加工、静止画へのデータの加工、フレームを間引いた動画データへの加工等が挙げられる。
【００５５】
光ディスクプレーヤ１０１内の映像デコーダ部１０２に送信された外部データＤＥＸは、サブ映像デコード部１０２２にて復号化処理される。また、光ディスク１３０に記録された映像も外部データＤＥＸと同様にメイン画面１１１用のメイン映像デコード部１０２１で復号化処理が行われる。メイン映像デコード部１０２１、サブ映像デコード部１０２２で処理された映像データは映像混合部１０２３にて１つのデータに併せ込まれ、メイン画面１１１にサブビデオがはめ込まれた１つの画像データとしてモニタ１１０に入力される。
【００５６】
なお、メイン画面１１１とサブ画面１１２はリモコン操作等によって表示画面を切替えることも可能である。また、映像データの記録元としては、外部から光ディスクプレーヤ１０１内の映像デコーダ部１０２に接続する周辺機器だけではなく、光ディスクプレーヤ１０１に内蔵された周辺ＬＳＩ１４０を用いてもよい。
【００５７】
また、外部データＤＥＸが有効であり、かつ、光ディスク１３０に記録されたサブビデオ用の映像が何らかの原因で表示できない等エラーを起こした場合、もし光ディスク１３０に記録されたサブビデオ用の映像しかサブビデオとして表示できない場合、サブビデオ機能が使用できなくなるというデメリットが発生する。この問題を回避するため、光ディスクプレーヤ１０１は、エラーを検出すると、代わりに外部データＤＥＸをサブビデオとして表示させる。
【００５８】
また、車載用の光ディスクプレーヤ１０１として活用する場合、カーナビゲーション画面とカーオーディオに関する画面の両方を同時に表示することができる。これにより、画面切替えに伴うユーザのストレスを軽減できる。例えばナビゲーション画面を表示させながら光ディスクプレーヤ１０１にて音楽を楽しみたい場合、常にナビゲーション画面を表示させながら、必要に応じて音楽に関する情報をサブビデオとしてポップアップ表示させると、ナビゲーションを中断させることなく、コンテンツを楽しむことが可能である。また逆に、常に音楽に関する情報を表示させながら時々位置を確認したい場合、ナビゲーション画面をサブビデオとしてポップアップ表示させることも可能である。
【００５９】
また、外部データＤＥＸ中に音声データが含まれていたり、音声データそのものであったりした場合は、光ディスクプレーヤ１０１内の音声デコーダ部１０３にて復号化処理される。また、光ディスクプレーヤ１３０に記録された音声データも同様に音声デコーダ部１０３にて復号化処理される。メインの音声を出力する場合は、音声切替部１０３３によってメイン音声デコード部１０３１の出力が選択され、サブの音声を出力する場合は、音声切替部１０３３によってサブ音声デコード部１０３２の出力が選択されて、スピーカ１２０に入力される。
【００６０】
このように本実施の形態の光ディスクプレーヤ１０１によれば、光ディスクプレーヤ１０１のサブ映像デコード部１０２２を用いて外部より入力されたデータを再生するので、光ディスク１３０のデータと外部データＤＥＸの同時再生が可能となり、サブビデオの汎用性向上が図れる。このように、サブビデオ機能として外部データを有効とすることにより、あたかもテレビ受信機の２画面表示機能のように、視聴者の好みの映像をサブビデオとして表示させることができるため、安価なディスプレイでテレビ受信機の２画面表示機能と同等のものが利用可能となる。
【００６１】
なお、周辺ＬＳＩ１４０、映像デコーダ部１０２、システム制御部１０５等の各機能ブロックは、典型的には集積回路であるＬＳＩとして実現可能である。これらは個別に１チップ化されてもよいし、一部又は全てを含むように１チップ化されてもよい。
【００６２】
また、本実施の形態の光ディスクプレーヤ１０１の機能をプログラムで実現することも可能であり、以下に特徴とするステップを挙げる。
・複数の動画データが記録された光ディスクからメインの動画データを復号する第１の復号化ステップ
・複数の動画データが記録された光ディスクからサブの動画データを復号する第２の復号化ステップ
・第１、第２の復号化ステップで復号されたメインとサブの映像を混合して１つのストリームに併せ込む映像合成ステップ
・外部より入力される外部データを取り込み、取り込んだ外部データを第２の復号化ステップに渡す外部データ取得ステップ
【００６３】
上記プログラムをＥＥＰＲＯＭ等の記憶媒体に書き込むことで、コンピュータを使用した制御が可能となる。また、上記プログラムのバージョンをアップするアップデートプログラムを書き込んだアップデートディスクを用意することで、バージョンアップや書き換えが可能となる。
【産業上の利用可能性】
【００６４】
本発明は、光ディスクに記録された複数のデータによる同時再生のみならず、光ディスクに記録されたデータと外部からのデータとの同時再生ができ、サブビデオの汎用性向上が図れるといった効果を有し、ＤＶＤ等の光ディスクプレーヤへの適用が可能である。
【図面の簡単な説明】
【００６５】
【図１】本発明の一実施の形態に係る光ディスクプレーヤの概略構成を示すブロック図
【符号の説明】
【００６６】
１０１  光ディスクプレーヤ
１０２  映像デコーダ部
１０３  音声デコーダ部
１０４  外部データ取得部
１０５  システム制御部
１１０  モニタ
１１１  メイン画面
１１２  サブ画面
１２０  スピーカ
１３０  光ディスク
１４０  周辺ＬＳＩ
１５０  接続機器
１０２１  メイン映像デコード部
１０２２  サブ映像デコード部
１０２３  映像混合部
１０３１  メイン音声デコード部
１０３２  サブ音声デコード部
１０３３  音声切替部
【図１】
2008078731.tif 000003